(57)【要約】【課題】入国する旅客について、入国前にグループ代表者の情報を用いてグループ審査を実施することにより、個人登録情報に登録されていない個人についても、窓口における審査で、より多くの情報に基づいた審査を実施でき、入国審査の厳正化させることが可能な入国前グループ審査システム及び入国前グループ審査方法を提供する。【解決手段】入国前グループ審査装置１０において、グループ代表者情報提供側の装置１１から入力されるグループ代表者情報と、入国前旅客情報提供側の端末１２から入力される入国前旅客情報とを照合し、入国予定の旅客内にいるグループ代表者を検出し、その後、存在したグループ代表者が持つグループ情報により、入国予定の旅客内にいるグループメンバを検出し、審査窓口では、ブース審査用端末１３にて、審査を実施する旅客がグループに属しているかどうかを通知する。【選択図】  図１
2010282381.tif 000002
【特許請求の範囲】
【請求項１】
グループ代表者情報提供側の装置から入力されるグループ代表者の情報と、入国前旅客情報提供側の端末から入力される入国前旅客情報に基づいて、旅客が入国する前に入国前グループ審査を実施する入国前グループ審査システムにおいて、
前記グループ代表者の情報と、前記入国前旅客情報を受け取る入国前グループ審査装置を具備し、
前記入国前グループ審査装置は、前記グループ代表者情報提供側の装置から又は前記入国前グループ審査装置が受け取った前記グループ代表者の情報に、グループ代表者を識別する符号を付与したグループ代表者情報を記憶するグループ代表者情報データベースと、
旅客の入国にあたり、前記入国前旅客情報提供側の端末から又は前記入国前グループ審査装置が受け取った前記入国前旅客情報を記憶する入国前旅客情報データベースと、
前記入国前旅客情報データベースに記憶された全ての旅客の入国前旅客情報と、前記グループ代表者情報データベースに記憶された全てのグループ代表者情報とを照合し、該照合した結果、該当するグループ代表者情報があった場合、前記グループ代表者情報データベースから該グループ代表者情報に関連付いたグループ情報を取得し、前記入国前旅客情報データベースに記憶された前記入国前旅客情報を、前記グループ情報にて検索し、該検索した結果をグループ審査結果として、グループ審査結果データベースに格納する制御部を有する、
ことを特徴とする入国前グループ審査システム。
【請求項２】
前記入国前グループ審査装置は、所定の条件を満たす個人について、個人登録情報を記憶する個人登録情報データベースをさらに具備し、前記制御部は、前記入国前旅客情報データベースに記憶された全ての旅客の入国前旅客情報と、前記個人登録情報データベースに記憶された全ての個人登録情報とを照合し、該照合した結果を個人審査結果として、個人審査結果データベースに格納する、
ことを特徴とする請求項１に記載の入国前グループ審査システム。
【請求項３】
入国審査を実施する旅客の情報を入力し、該入力情報を前記入国前グループ審査装置に送信するブース審査端末をさらに具備し、
前記入国前グループ審査装置の前記制御部は、前記ブース審査端末から受信した前記旅客情報と前記グループ審査結果データベースに記憶された前記グループ審査結果とを照合し、該照合の結果、該当するグループ審査結果がある場合に、該グループ審査結果を取得し、前記旅客情報と前記個人審査結果データベースに記憶された前記個人審査結果とを照合し、該照合の結果、該当する個人審査結果がある場合に、該個人審査結果を取得し、前記取得したグループ審査結果と、前記取得した個人審査結果を、前記ブース審査端末に送信する、
ことを特徴とする請求項１又は請求項２に記載の入国前グループ審査システム。
【請求項４】
前記入国前グループ審査装置の前記制御部は、前記ブース審査端末から受信した旅客情報と前記グループ審査結果データベースに記憶された前記グループ審査結果とを照合し、該照合の結果、該当するグループ審査結果がなく、前記旅客情報と前記個人審査結果データベースに記憶された前記個人審査結果とを照合し、該照合の結果、該当する個人審査結果がない場合、前記ブース審査端末に前記グループ審査結果と、前記個人審査結果を含まない電文を送信する、
ことを特徴とする請求項３に記載の入国前グループ審査システム。
【請求項５】
前記ブース審査端末は、前記グループ審査結果と、前記個人審査結果を受信した場合、前記グループ審査結果及び前記個人審査結果を表示部に表示する、
ことを特徴とする請求項３乃至請求項４に記載の入国前グループ審査システム。
【請求項６】
グループ代表者情報提供側の装置から入力されるグループ代表者の情報と、入国前旅客情報提供側の端末から入力される入国前旅客情報に基づいて、旅客が入国する前に入国前グループ審査を実施する入国前グループ審査システムにて実施する入国前グループ審査方法において、
入国前旅客情報データベースに記憶された旅客の入国前旅客情報と、グループ代表者情報データベースに記憶されたグループ代表者情報とを照合する処理と、
前記照合した結果、該当するグループ代表者情報があった場合、前記グループ代表者情報データベースから該当グループ代表者情報に含まれるグループ情報を取得する処理と、
前記入国前旅客情報データベースに記憶された前記入国前旅客情報を、前記グループ情報にて検索する処理と、
該検索した結果をグループ審査結果として、グループ審査結果データベースに格納する処理とを実施する、
ことを特徴とする入国前グループ審査方法。
【請求項７】
前記入国前旅客情報データベースに記憶された前記旅客の入国前旅客情報と、個人登録情報データベースに記憶された個人登録情報とを照合する処理と、
前記照合した結果を個人審査結果として、個人審査結果データベースに格納する処理をさらに実施する、
ことを特徴とする請求項６に記載の入国前グループ審査方法。
【請求項８】
前記入力前グループ審査システムに接続されたブース審査端末から旅客情報を受信する処理と、
前記受信した旅客情報と前記グループ審査結果データベースに記憶された前記グループ審査結果を照合する処理と、
前記照合の結果、該当するグループ審査結果がある場合に、該当するグループ審査結果を取得する処理と、
前記旅客情報と前記個人審査結果データベースに記憶された前記個人審査結果を照合する処理と、
前記照合の結果、該当する個人審査結果がある場合に、該当する個人審査結果を取得する処理と、
前記取得したグループ審査結果と、前記取得した個人審査結果を、前記ブース審査端末に送信する処理をさらに実施する、
ことを特徴とする請求項６又は請求項７に記載の入国前グループ審査方法。
【請求項９】
前記ブース審査端末から受信した旅客情報と前記グループ審査結果データベースに記憶された前記グループ審査結果とを照合し、該照合の結果、該当するグループ審査結果がなく、前記旅客情報と前記個人審査結果データベースに記憶された前記個人審査結果とを照合し、該照合の結果、該当する個人審査結果がない場合、前記ブース審査端末に前記グループ審査結果と、前記個人審査結果を含まない電文を送信する処理をさらに実施する、
ことを特徴とする請求項８に記載の入国前グループ審査方法。
【請求項１０】
前記ブース審査端末は、前記グループ審査結果と、前記個人審査結果を受信した場合、前記グループ審査結果及び前記個人審査結果を表示部に表示する処理を実施することを特徴とする請求項８乃至請求項９に記載の入国前グループ審査方法。
【発明の詳細な説明】
【技術分野】
【０００１】
本発明は入国前旅客審査システムに関し、特に、入国に先立ち、入国者のグループ代表者情報により、グループメンバを検索する入力前グループ審査方法およびこれを実施する入国前グループ審査システムに関する。
【背景技術】
【０００２】
旅客が外国へ入国する場合、旅客は入国地の審査ブースにおいて入国審査を受ける必要があり、その際には予め作成した要確認リストの個人情報と旅客の個人情報との照合を旅客全てに対して実施する。旅客が要確認リストに含まれる人物と判定した場合、審査官は前記旅客に対してさらに詳細な審査を実施する。
【０００３】
このような窓口における審査官による入国審査を支援する方法として、特許文献１に示すような事前旅客審査システムが実用化されている。事前旅客審査システムは特許文献１に示されているとおり、旅客または旅行代理店などから送信される旅客情報について、入国前に旅客全てに対して一人ずつ上記要確認リストの個人情報との照合チェックを実施してその結果を旅券番号と対応付けて格納しておき、審査ブースでは旅券番号からチェック結果を確認することで、入国審査の迅速化を行っている。
【先行技術文献】
【特許文献】
【０００４】
【特許文献１】特開２００３−２７１７８１号公報
【発明の概要】
【発明が解決しようとする課題】
【０００５】
上記特許文献１に示されている入国前審査方法においては、一人ずつ上記要確認リストの個人情報との照合チェックを実施している。このため、要確認リストの対象者と関連を持つにも関わらずリストに存在しない人物が要確認リストの対象者と一緒にグループとして入国した場合、前記人物はチェックからもれてしまうという問題があった。また同様の属性を持つ多数の旅客がグループとして入国した場合、グループとして審査する方が効率的であるが、旅客内に存在するグループを単位とした審査は行われていなかった。
【０００６】
本発明は上述のような課題を鑑みてなされ、その目的は、入国前審査において、事前に受信した旅客情報の中から旅客内に存在するグループの存在を検知し、審査支援情報として通知する機能を備えた入国前グループ審査システム及び入国前グループ審査方法を提供することにある。
【課題を解決するための手段】
【０００７】
上記課題を解決するための一手段を説明する。本発明は、グループ代表者情報提供側の装置から入力されるグループ代表者の情報と、入国前旅客情報提供側の端末から入力される入国前旅客情報に基づいて、旅客が入国する前に入国前グループ審査を実施する入国前グループ審査システムにおいて、前記グループ代表者の情報と、前記入国前旅客情報を受け取る入国前グループ審査装置を具備し、前記入国前グループ審査装置は、前記グループ代表者情報提供側の装置から又は前記入国前グループ審査装置が受け取った前記グループ代表者の情報に、グループ代表者を識別する符号を付与したグループ代表者情報を記憶するグループ代表者情報データベースと、旅客の入国にあたり、前記入国前旅客情報提供側の端末から又は前記入国前グループ審査装置が受け取った前記入国前旅客情報を記憶する入国前旅客情報データベースと、前記入国前旅客情報データベースに記憶された全ての旅客の入国前旅客情報と、前記グループ代表者情報データベースに記憶された全てのグループ代表者情報とを照合し、該照合した結果、該当するグループ代表者情報があった場合、前記グループ代表者情報データベースから該グループ代表者情報に関連付いたグループ情報を取得し、前記入国前旅客情報データベースに記憶された前記入国前旅客情報を、前記グループ情報にて検索し、該検索した結果をグループ審査結果として、グループ審査結果データベースに格納する制御部を有する、ことを特徴とする。
【０００８】
また、前記入国前グループ審査装置は、所定の条件を満たす個人について、個人登録情報を記憶する個人登録情報データベースをさらに具備し、前記制御部は、前記入国前旅客情報データベースに記憶された全ての旅客の入国前旅客情報と、前記個人登録情報データベースに記憶された全ての個人登録情報とを照合し、該照合した結果を個人審査結果として、個人審査結果データベースに格納する、ことを特徴とする。
【０００９】
また、入国審査を実施する旅客の情報を入力し、該入力情報を前記入国前グループ審査装置に送信するブース審査端末をさらに具備し、前記入国前グループ審査装置の前記制御部は、前記ブース審査端末から受信した前記旅客情報と前記グループ審査結果データベースに記憶された前記グループ審査結果とを照合し、該照合の結果、該当するグループ審査結果がある場合に、該グループ審査結果を取得し、前記旅客情報と前記個人審査結果データベースに記憶された前記個人審査結果とを照合し、該照合の結果、該当する個人審査結果がある場合に、該個人審査結果を取得し、前記取得したグループ審査結果と、前記取得した個人審査結果を、前記ブース審査端末に送信する、ことを特徴とする。
【００１０】
また、前記入国前グループ審査装置の前記制御部は、前記ブース審査端末から受信した旅客情報と前記グループ審査結果データベースに記憶された前記グループ審査結果とを照合し、該照合の結果、該当するグループ審査結果がなく、前記旅客情報と前記個人審査結果データベースに記憶された前記個人審査結果とを照合し、該照合の結果、該当する個人審査結果がない場合、前記ブース審査端末に前記グループ審査結果と、前記個人審査結果を含まない電文を送信する、ことを特徴とする。
【００１１】
また、前記ブース審査端末は、前記グループ審査結果と、前記個人審査結果を受信した場合、前記グループ審査結果及び前記個人審査結果を表示部に表示する、ことを特徴とする。
【発明の効果】
【００１２】
以上本発明の入国前グループ審査システムによれば、入国前審査において、事前に受信した旅客情報の中から旅客内に存在するグループの存在を検知し、予めグループ審査結果として格納しておくことで、入国審査の際に要確認リストの対象者だけでなく要確認リスト対象者と関連のある一以上の対象者を合わせて検知することができる。またグループとして予め登録することで入国審査の際に審査作業を軽減することが可能となる。
【図面の簡単な説明】
【００１３】
【図１】本実施形態に係る入国前グループ審査システム全体の構成例を示す図である。
【図２】本実施形態に係る入国前グループ審査装置１０のハードウェア構成例を示すブロック図である。
【図３】本実施形態に係るグループ代表者情報提供側の装置１１のハードウェア構成例を示すブロック図である。
【図４】本実施形態に係る入国前旅客情報提供側の端末１２のハードウェア構成例を示すブロック図である。
【図５】本実施形態に係るブース審査用端末１３のハードウェア構成例を示すブロック図である。
【図６】本実施形態に係るグループ代表者情報登録処理の流れを示すフローチャートである。
【図７】本実施形態に係る入国前審査処理の流れを示すフローチャートである。
【図８】本実施形態に係るグループ審査処理の流れを示すフローチャートである。
【図９】同じく、本実施形態に係るグループ審査処理の流れを示すフローチャートである。
【図１０】本実施形態に係る個人審査処理の流れを示すフローチャートである。
【図１１】同じく、本実施形態に係る個人審査処理の流れを示すフローチャートである。
【図１２】本実施形態に係る窓口審査処理の流れを示すフローチャートである。
【図１３】入国前旅客情報データベース２０９の構成例を示す図である。
【図１４】グループ代表者情報データベース２１０の構成例を示す図である。
【図１５】個人登録情報データベース２１１の構成例を示す図である。
【図１６】グループ審査結果データベース２１２の構成例を示す図である。
【図１７】個人審査結果データベース２１３の構成例を示す図である。
【発明を実施するための形態】
【００１４】
以下に本発明の実施の形態を、図１〜図１７を用いて詳細に説明する。
【００１５】
図１は、本実施形態に係る入国前グループ審査装置とそれを含んで構成されている入国前グループ審査システム全体の構成例を示す図である。
【００１６】
この入国前グループ審査システムは、ネットワーク１４を介して、入国前グループ審査装置１０と、外部機関が有するグループ代表者情報提供側の装置１１と、旅客または旅行代理店側の有する複数の入国前旅客情報提供側の端末１２と、入国審査を行う審査官が用いる複数のブース審査用端末１３とが各々接続されて構成されている。
【００１７】
図２は、入国前グループ審査装置１０のハードウェア構成例を示すブロック図である。
【００１８】
入国前グループ審査装置１０は、ＣＰＵ等の制御部２００と、制御部２００が実行するプログラムおよび各種データを記憶する記憶部２０２と、ネットワーク１４を介して他の装置と情報の送受信を行うネットワークインタフェース部２０１を有する。
【００１９】
記憶部２０２には、入国する各旅客の情報を記憶する入国前旅客情報データベース２０９と、グループ代表者情報を記憶するグループ代表者情報データベース２１０と、入国に際し、上記課題に記載の要確認リストである確認すべき特定の個人の情報を記憶する個人登録情報データベース２１１と、旅客毎のグループ審査結果を記憶するグループ審査結果データベース２１２と、旅客毎の個人審査結果を記憶する個人審査結果データベース２１３が格納されている。
【００２０】
また、記憶部２０２には、データベース制御機能２０３、グループ代表者情報提供側の装置１１から受信した各グループ代表者の情報に代表者ＩＤを付与するグループ代表者情報加工機能２０４、入国前旅客情報内にいるグループ代表者を検索するグループ代表者情報照合機能２０５、入国前旅客情報内にいる、入国に際し確認すべき特定の個人を検索する個人登録情報照合機能２０６、入国前旅客情報内に存在したグループ代表者がもつグループ情報からグループのメンバを検索するグループ審査機能２０７及びデータ通信の全体を制御する通信制御機能２０８からなるプログラムが格納されている。
【００２１】
図３は、グループ代表者情報提供側の装置１１のハードウェア構成例を示すブロック図である。
【００２２】
グループ代表者情報提供側の装置１１は、グループ代表者提供側に設置されているグループ代表者情報を入力する汎用的な端末装置であり、制御部３０１とネットワークインタフェース部３０４と入力部３０２と表示部３０３と記憶部３０５とを有する。記憶部３０５には、グループ代表者の情報を取得するグループ代表者情報入力機能３０６と、ネットワークインタフェース部３０４を介し、ネットワーク１４で接続されている入国前グループ審査装置１０に前記取得したグループ代表者の情報を送信するグループ代表者情報送信機能３０７からなるプログラムが格納されている。
【００２３】
図４は、入国前旅客情報提供側の端末１２のハードウェア構成例を示すブロック図である。
【００２４】
入国前旅客情報提供側の端末１２は、入国前旅客情報提供側に設置されている汎用端末であり、制御部４０１と入力部４０２と表示部４０３とネットワークインタフェース部４０４と記憶部４０５とを有する。記憶部４０５には、旅客の出国に際し旅客の情報を取得する旅客情報入力機能４０６と、ネットワークインタフェース部４０４を介し、ネットワーク１４に接続されている入国前グループ審査装置１０に前記取得した入国前旅客情報を送信する旅客情報送信機能４０７からなるプログラムが可能されている。
【００２５】
図５は、ブース審査用端末１３のハードウェア構成例を示すブロック図である。
【００２６】
ブース審査用端末１３は、審査官が操作し、ブース審査窓口へ情報提供を行うための端末であり、制御部５０１と入力部５０２と表示部５０３とネットワークインタフェース部５０４と記憶部５０５とを有する。ブース審査用端末１３は、入国前グループ審査装置１０とネットワークインタフェース部５０４とネットワーク１４を介して接続され、各種情報の送受信を行う。記憶部５０５には、窓口審査を実施する対象である旅客の旅券番号を入力する審査対象情報入力機能５０６と、入国前グループ審査装置１０で実施された個人審査結果を通知する個人審査結果通知機能５０７と、グループ審査結果を通知するグループ審査結果通知機能５０８からなるプログラムが格納されている。
【００２７】
次に上述のように構成された、本実施形態に係る入国前グループ審査システムの動作について、図６から図１２までのフローチャートを用いて説明する。
【００２８】
図６は、本実施形態に係るグループ代表者情報登録処理の流れを示すフローチャートである。
【００２９】
グループ代表者情報提供側の装置１１は、グループ代表者情報入力機能３０６を用いて、グループの代表者である人物の氏名、国籍と、その人物が代表者となるグループの、グループメンバの情報を、グループ情報として入力する（ステップＳ６０１）。グループ代表者の情報が入力されると、グループ代表者情報送信機能３０６を用いて、グループ代表者の情報を入国前グループ審査装置１０へ送信する（ステップＳ６０２）。
【００３０】
入国前グループ審査装置１０は、グループ代表者の情報を受信すると（ステップＳ６０３）、グループ代表者情報加工機能２０４により、それぞれのグループ代表者に代表者ＩＤを付与し（ステップＳ６０４）、グループ代表者情報として、データベース制御機能２０３を用いてグループ代表者情報データベース２１０に登録して処理を終了する（ステップＳ６０５）。
【００３１】
図１４は、グループ代表者情報データベース２１０の構成例を示す図である。
【００３２】
グループ代表者情報は、「代表者ＩＤ」、「代表者名」、「国籍」、「グループ情報１」、[グループ情報２]により構成されている。また、「グループ情報１」、[グループ情報２]ににはグループメンバの検索に用いるＳＱＬに用いる条件として記憶される。なお、図中の[グループ情報１]、[グループ情報２]は、単にグループ情報が複数登録されることを示しているに過ぎず、グループ情報の数は規定しない。
【００３３】
図７は、本実施形態に係る入国前審査処理の流れを示すフローチャートである。
【００３４】
入国前旅客情報提供側の端末１２では、旅客情報入力機能４０６を用いて入国前旅客情報を入力する（ステップＳ７０１）。入国前旅客情報は、本実施形態では、「旅券番号」、「入国日」、「入国便名」、「座席」、「到着時間」、「氏名」、「生年月日」、「性別」及び「国籍」により構成される情報である。入国前旅客情報が入力されると、旅客情報送信機能４０７を用いて、入国前旅客情報を入国前グループ審査装置１０に送信する（ステップＳ７０２）。
【００３５】
入国前グループ審査装置１０は、入国前旅客情報を受信すると（ステップＳ７０３）、データベース制御機能２０３を用いて入国前旅客情報データベース２０９に登録する（ステップＳ７０４）。
【００３６】
図１３は、入国前旅客情報データベース２０９の構成例を示す図である。
【００３７】
入国前旅客情報は、「旅券番号」、「入国日」、「入国便名」、「座席」、「到着時間」、「氏名」、「生年月日」、「性別」及び「国籍」により構成されている。なお、図中のＡは、単にデータが連続してつながっていることを示しているにすぎない。
【００３８】
ステップＳ７０４の処理の後、入国前グループ審査装置１０は、データベース制御機能２０３を用いて、入国前旅客情報データベース２０９から、登録した入国前旅客情報の件数を取得し（ステップＳ７０５）、後述するグループ審査処理（ステップＳ７０６）と、後述する個人審査処理（ステップＳ７０７）を実行して処理を終了する。なお、ステップＳ７０６とステップＳ７０７の実行順序は逆でも良い。
【００３９】
図８と図９は、本実施形態に係る図７のステップＳ７０６のグループ審査処理の流れを示すフローチャートである。
【００４０】
グループ審査処理は入国前グループ審査装置１０にて実施される。
【００４１】
入国前グループ審査装置１０は、変数である「取得レコード行」に１を設定した（ステップＳ８０１）のち、次の処理に移る。「取得レコード行」の値が図7のステップＳ７０５にて取得した、登録された入国前旅客情報の件数以下かどうかを判断する（ステップＳ８０２）。「取得レコード行」の値が登録された入国前旅客情報の件数より大きかった場合、処理を終了する。「取得レコード行」の値がステップＳ７０５にて取得した、登録された入国前旅客情報の件数以下の場合、次の処理に移行する。
【００４２】
次の処理ではデータベース制御機能２０３により、入国前旅客情報データベース２０９から、「取得レコード行目」のレコードに記憶された、旅客の氏名と国籍を取得し（ステップＳ８０３）、グループ代表者情報照合機能２０５を用いて、ステップＳ８０３にて取得した氏名と国籍の組合せと、グループ代表者情報データベース２１０に記憶されたグループ代表者情報の氏名（代表者名）と国籍の組合せを照合する（ステップＳ８０４）。
【００４３】
照合の結果、該当するグループ代表者情報がなかった場合には、ステップＳ８０９へ移行する。照合の結果、該当するグループ代表者情報があった場合には、データベース制御機能２０３により、該当したグループ代表者情報に記憶された、代表者ＩＤとグループ情報を、グループ代表者情報データベース２１０から取得した後（ステップＳ８０５）、グループ審査機能２０７を用いて、ステップＳ８０５で取得したグループ情報をＳＱＬの条件文に組み込み、入国前旅客情報データベース２０９に登録された入国前旅客情報を検索する（ステップＳ８０６）。次にデータベース制御機能２０３により、ステップＳ８０６の検索にて該当した入国前旅客情報に含まれる旅券番号を取得し（ステップＳ８０７）、ステップＳ８０５で取得した代表者ＩＤとステップＳ８０７で取得した旅券場号を、データベース制御機能２０３によりグループ審査結果データベース２１２に登録する（ステップＳ８０８）。登録後、変数「取得レコード行」の値に１を加算した（ステップＳ８０９）のち、ステップＳ８０２へ移行する。
【００４４】
このように、グループ代表者情報データベース２１０に登録されたグループ代表者情報と、入国前旅客情報データベース２０９に登録された入国前旅客情報から、グループ代表者を特定し、旅客の入国前に、グループ代表者ＩＤとそのグループ代表者が関係する旅券番号とを紐付けて保持しておくことで、窓口における審査の実施の際に、グループ単位での審査が可能となる。
【００４５】
図１６は、グループ審査結果データベース２１２の構成例を示す図である。
【００４６】
グループ審査結果は、「旅券番号」及び「代表者ＩＤ」で構成されている。
【００４７】
図１０と図１１は、本実施形態に係る個人審査処理ステップＳ７０７の流れを示すフローチャートである。
【００４８】
個人審査処理ステップＳ７０８は、グループ審査処理ステップＳ７０７と同様に、入国前グループ審査装置１０にて実行される。
【００４９】
入国前グループ審査装置１０は、変数である「取得レコード行」に１を設定した（ステップＳ９０１）のち、「取得レコード行」の値がステップＳ７０５にて取得した、登録された入国前旅客情報の件数以下かどうかを判断する（ステップＳ９０２）。「取得レコード行」の値が登録された入国前旅客情報の件数より大きかった場合、処理を終了する。「取得レコード行」の値がステップＳ７０５にて取得した、登録された入国前旅客情報の件数以下の場合、データベース制御機能２０３により、入国前旅客情報データベース２０９から、「取得レコード行目」のレコードに記憶された、旅客の旅券番号、氏名、性別、生年月日及び国籍を取得し（ステップＳ９０３）、個人審査機能２０６を用いて、ステップＳ９０３にて取得した旅券番号、氏名、性別、生年月日及び国籍と、個人登録情報データベース２１１に記憶された個人登録情報の旅券番号、氏名、性別、生年月日及び国籍を照合する（ステップＳ９０４）。
【００５０】
照合の結果、該当する個人登録情報がなかった場合には、ステップＳ９０７へ移行する。照合の結果、該当する個人登録情報があった場合には、データベース制御機能２０３により、該当した個人登録情報データベース２１１に記憶された、個人登録情報の個人番号を、個人登録情報データベース２１２から取得し（ステップＳ９０５）、取得した個人番号とステップＳ９０３で取得した旅券番号を、データベース制御機能２０３により個人審査結果データベース２１３に登録する（ステップＳ９０６）。登録後、変数「取得レコード行」の値に１を加算したのち、ステップＳ９０２へ移行する（ステップＳ９０７）。
【００５１】
図１５は、個人登録情報データベース２１１の構成例を示す図である。
【００５２】
個人登録情報は、「個人番号」、「区分」、「旅券番号」、「氏名」、「生年月日」、「性別」及び「国籍」で構成されている。また、「区分」欄には、個人登録情報が登録された理由が記憶されている。なお、図中のＢは、単にデータが連続してつながっていることを示しているにすぎない。
【００５３】
図１７は、個人審査結果データベース２１３の構成例を示す図である。
【００５４】
個人審査結果は、「旅券番号」及び「個人番号」で構成されている。
【００５５】
つぎに、旅客が入国する際に、審査官が窓口にて実施する入国審査の流れを示す。
【００５６】
図１２は、本実施形態に係る窓口審査処理の流れを示すフローチャートである。
【００５７】
ブース審査用端末１３は、審査対象入力機能４０６を用いて、審査が実施される旅客の旅券番号を取得する（ステップＳ１００１）。取得された旅券番号は、入国前グループ審査装置１０に送信する（ステップＳ１００２）。
【００５８】
入国前グループ審査装置１０は、旅券番号を受信し（ステップＳ１００３）、データベース制御機能２０３を用いて、受信した旅券番号と、グループ審査結果データベース２１２（図１６）の旅券番号を照合し（ステップＳ１００４）、該当するグループ審査結果があった場合には、該当したグループ審査結果の代表者ＩＤを取得す（ステップＳ１００５）る。また、データベース制御機能２０３を用いて、ステップＳ１００３にて受信した旅券番号と、個人審査結果データベース２１３（図１７）の旅券番号を照合し（ステップＳ１００６）、該当するグループ審査結果があった場合には該当した個人審査結果の個人ＩＤを取得し（ステップＳ１００７）、ステップＳ１００５で取得した代表者ＩＤと、ステップＳ１００７で取得した個人番号を、検索結果として、ブース審査用端末１３へ送信する（ステップＳ１００８）。なお、ステップＳ１００５は、ステップＳ１００４の後に実行される必要があり、ステップＳ１００７は、ステップＳ１００６より後に実行される必要があるが、ステップＳ１００４と、ステップＳ１００６は、実行順序が入れ替わっても問題ない。また、ステップＳ１００５とステップＳ１００７で取得するべき代表者ＩＤおよび個人番号がない場合には、ステップＳ１００８では空のデータを送信する。
【００５９】
ブース審査端末１３は、検索結果を受信し（ステップＳ１００９）、グループ審査結果通知機能５０７と、個人審査結果通知機能５０８を用いて、受信した検索結果を表示する（ステップＳ１０１０）。
【００６０】
上記のように、ブース審査用端末１３へ、検索結果を表示することで、審査官は、審査中の旅客がグループメンバであるかどうかを認識することが可能となり、個人審査の結果と併せ、より厳正な入国審査を実施することができるようになる。
【００６１】
以上、本発明の実施の形態について、その実施の形態に基づき具体的に説明したが、これに限定されるものではなく、その要旨を逸脱しない範囲で種々変更可能である。 
【符号の説明】
【００６２】
１０・・・入国前グループ審査装置、１１・・・グループ代表者情報提供側の装置、１２・・・入国前旅客情報提供側の端末、１３・・・ブース審査用端末、１４・・・ネットワーク、２００、３０１、４０１、５０１・・・制御部、２０１、３０４、４０４、５０４・・・ネットワークインタフェース部、２０２、３０５、４０５、５０５・・・記憶部、３０２、４０２、５０２・・・入力部、３０３、４０３、５０３・・・表示部。
【図１】
2010282381.tif 000003
【図２】
2010282381.tif 000004
【図３】
2010282381.tif 000005
【図４】
2010282381.tif 000006
【図５】
2010282381.tif 000007
【図６】
2010282381.tif 000008
【図７】
2010282381.tif 000009
【図８】
2010282381.tif 000010
【図９】
2010282381.tif 000011
【図１０】
2010282381.tif 000012
【図１１】
2010282381.tif 000013
【図１２】
2010282381.tif 000014
【図１３】
2010282381.tif 000015
【図１４】
2010282381.tif 000016
【図１５】
2010282381.tif 000017
【図１６】
2010282381.tif 000018
【図１７】
2010282381.tif 000019